(57)【特許請求の範囲】
【請求項１】
到来する電波を受信する第１，第２，第３及び第４の受信アンテナを備えて移動通信端末と通信を行う無線通信装置において、
上記第１，第２，第３及び第４の受信アンテナからの受信信号に対して、フーリエ変換を利用した第１及び第２の受信ビームウェイトを用いてウェイト付けを行い、互いに直交し空間的に分離された第１及び第２の受信ビームを生成する受信ビーム生成部と、
上記受信ビーム生成部からの第１の受信ビームと上記各移動通信端末毎に設定されている既知の参照信号とを用いて受信信号レベルを測定し、上記第１の受信ビームに上記参照信号が含まれている場合に信号情報を出力する第１の信号検出部と、
上記受信ビーム生成部からの第２の受信ビームと上記各移動通信端末毎に設定されている既知の参照信号とを用いて受信信号レベルを測定し、上記第２の受信ビームに上記参照信号が含まれている場合に信号情報を出力する第２の信号検出部と、
上記受信ビーム生成部からの第１及び第２の受信ビームを入力し、上記第１及び第２の信号検出部からの信号情報に基づき最大比合成して復調データを出力する復調処理部と、
上記第１及び第２の信号検出部からの信号情報により受信信号が見つかった受信ビームと、上記復調処理部から通知された第１及び第２の受信ビームで受信した受信信号の受信パイロット信号を用いてチャネル推定を行って求めた位相差とに基づき、移動通信端末からの電波の到来方向を求めて、この電波の到来方向が含まれる送信ビームを選択して選択情報を出力するフィードバック制御部と、
各移動通信端末へのユーザデータを入力し、各移動通信端末毎に設定されている送信処理情報に基づき送信信号処理を行いユーザの送信データを出力する複数の送信信号処理部と、
上記複数の送信信号処理部からの複数のユーザの送信データを入力し、上記フィードバック制御部からのユーザ毎の選択情報に基づき上記複数のユーザの送信データを送信ビーム単位に多重するビーム単位多重部と、
上記ビーム単位多重部からの多重後の複数のユーザの送信データを入力し、送信ビームウェイトによりウェイト付けを行い、ウェイト付けされた多重後の複数のユーザの送信データを出力する送信ビーム生成部と、
上記送信ビーム生成部からのウェイト付けされた多重後の複数のユーザの送信データを入力し、第１、第２、第３及び第４の送信アンテナ単位に多重する送信多重部とを備えることを特徴とする無線通信装置。
【請求項２】
受信ビーム生成部は、第１，第２，第３及び第４の受信アンテナからの受信信号に対して、ウェイト定数による第１の受信ビームウェイトを用いてウェイト付けを行って、ある方向にメインローブを持ち、その１８０°逆の方向にグレーティングローブを持つ第１の受信ビームを生成し、ウェイト定数による第２の受信ビームウェイトを用いてウェイト付けを行って、上記第１の受信ビームと直交し、ある方向にメインローブを持ち、その１８０°逆の方向にグレーティングローブを持つ第２の受信ビームを生成することを特徴とする請求の範囲第１項記載の無線通信装置。
【請求項３】
フィードバック制御部は、第１の信号検出部からの信号情報により第１の受信ビームに受信信号が見つかった場合には、上記第１の受信ビームと同じ方向に指向性を有する第１の送信ビームをイネーブルにする選択情報を出力し、第２の信号検出部からの信号情報により第２の受信ビームに受信信号が見つかった場合には、上記第２の受信ビームと同じ方向に指向性を有する第２の送信ビームをイネーブルにする選択情報を出力し、上記第１及び第２の信号検出部からの信号情報により第１及び第２の受信ビームに受信信号が見つかった場合には、上記第１及び第２の受信ビームで同一遅延の受信信号の位相が反転位相であれば、上記第１及び第２の受信ビームの相対する交差点の方向に指向性を有する第３の送信ビームをイネーブルにする選択情報を出力し、上記第１及び第２の受信ビームで同一遅延の受信信号の位相が同位相であれば、上記第１及び第２の受信ビームの相対する交差点の方向で上記第３の送信ビームより９０°ずらした方向に指向性を有する第４の送信ビームをイネーブルにする選択情報を出力することを特徴とする請求の範囲第１項記載の無線通信装置。
【発明の詳細な説明】
【技術分野】
【０００１】
この発明は移動無線端末と通信を行う無線通信装置に関するものである。
【背景技術】
【０００２】
従来の無線通信装置では、例えば特開平８−３１６８９６号公報に示すように、無指向性の水平方向３６０°の範囲を４本の受信アンテナでカバーする場合に、受信特性を改善する目的で４本の受信アンテナの出力を合成し４つの信号を生成して受信処理を行っている。また、別の従来の無線通信装置では、受信アンテナ毎に独立に受信処理を行い、その結果を合成処理する構成をとっている。
【発明の開示】
【発明が解決しようとする課題】
【０００３】
従来の無線通信装置は以上のように構成されているので、いずれも受信アンテナ数と同数の復調処理部を備えて復調処理を行わなければならず、無線通信装置が大型になるという課題があった。
【０００４】
この発明は上記のような課題を解決するためになされたもので、受信アンテナ数に対して復調処理部の数を削減し、小型にすることができる無線通信装置を得ることを目的とする。
【課題を解決するための手段】
【０００５】
この発明に係る無線通信装置は、到来する電波を受信する第１，第２，第３及び第４の受信アンテナを備えて移動通信端末と通信を行うものにおいて、上記第１，第２，第３及び第４の受信アンテナからの受信信号に対して、フーリエ変換を利用した第１及び第２の受信ビームウェイトを用いてウェイト付けを行い、互いに直交し空間的に分離された第１及び第２の受信ビームを生成する受信ビーム生成部と、上記受信ビーム生成部からの第１の受信ビームと上記各移動通信端末毎に設定されている既知の参照信号（拡散コード）とを用いて受信信号レベル（相関）を測定し、上記第１の受信ビームに上記参照信号（拡散コード）で拡散された信号が含まれている場合に信号情報（パス情報）を出力する第１の信号検出部（パスサーチ部）と、上記受信ビーム生成部からの第２の受信ビームと上記各移動通信端末毎に設定されている既知の参照信号（拡散コード）とを用いて受信信号レベル（相関）を測定し、上記第２の受信ビームに上記参照信号（拡散コード）で拡散された信号が含まれている場合に信号情報（パス情報）を出力する第２の信号検出部（パスサーチ部）と、上記受信ビーム生成部からの第１及び第２の受信ビームを入力し、上記第１及び第２の信号検出部（パスサーチ部）からの信号情報（パス情報）に基づき最大比合成（ＲＡＫＥ合成）して復調データを出力する復調処理部とを備えたものである。
【０００６】
この発明に係る無線通信装置は、受信ビーム生成部が、第１，第２，第３及び第４の受信アンテナからの受信信号に対して、ウェイト定数による第１の受信ビームウェイトを用いてウェイト付けを行って、ある方向にメインローブを持ち、その１８０°逆の方向にグレーティングローブを持つ第１の受信ビームを生成し、ウェイト定数による第２の受信ビームウェイトを用いてウェイト付けを行って、上記第１の受信ビームと直交し、ある方向にメインローブを持ち、その１８０°逆の方向にグレーティングローブを持つ第２の受信ビームを生成するものである。
【０００７】
この発明に係る無線通信装置は、第１及び第２の信号検出部（パスサーチ部）からの信号情報（パス情報）により受信信号（受信パス）が見つかった受信ビームと、復調処理部から通知された第１及び第２の受信ビームで受信した受信信号の受信パイロット信号を用いてチャネル推定を行って求めた位相差とに基づき、移動通信端末からの電波の到来方向を求めて、この電波の到来方向が含まれる送信すべき送信ビームを選択して選択情報を出力するフィードバック制御部と、各移動通信端末へのユーザデータを入力し、各移動通信端末毎に設定されている送信処理情報に基づき送信信号処理（拡散符号を用いて拡散処理）を行いユーザの送信データ（拡散データ）を出力する複数の送信信号処理部（拡散変調部）と、上記複数の送信信号処理部（拡散変調部）からの複数のユーザの送信データ（拡散データ）を入力し、上記フィードバック制御部からのユーザ毎の選択情報に基づき上記複数のユーザの送信データ（拡散データ）を送信ビーム単位に多重するビーム単位多重部と、上記ビーム単位多重部からの多重後の複数のユーザの送信データ（拡散データ）を入力し、送信ビームウェイトによりウェイト付けを行い、ウェイト付けされた多重後の複数のユーザの送信データ（拡散データ）を出力する送信ビーム生成部と、上記送信ビーム生成部からのウェイト付けされた多重後の複数のユーザの送信データ（拡散データ）を入力し、第１、第２、第３及び第４の送信アンテナ単位に多重する送信多重部とを備えたものである。
【０００８】
この発明に係る無線通信装置は、フィードバック制御部が、第１の信号検出部（パスサーチ部）からの信号情報（パス情報）により第１の受信ビームに受信信号（受信パス）が見つかった場合には、上記第１の受信ビームと同じ方向に指向性を有する第１の送信ビームをイネーブルにする選択情報を出力し、第２の信号検出部（パスサーチ部）からの信号情報（パス情報）により第２の受信ビームに受信信号（受信パス）が見つかった場合には、上記第２の受信ビームと同じ方向に指向性を有する第２の送信ビームをイネーブルにする選択情報を出力し、上記第１及び第２の信号検出部（パスサーチ部）からの信号情報（パス情報）により第１及び第２の受信ビームに受信信号（受信パス）が見つかった場合には、上記第１及び第２の受信ビームで同一遅延の受信信号（受信パス）の位相が反転位相であれば、上記第１及び第２の受信ビームの相対する交差点の方向に指向性を有する第３の送信ビームをイネーブルにする選択情報を出力し、上記第１及び第２の受信ビームで同一遅延の受信信号（受信パス）の位相が同位相であれば、上記第１及び第２の受信ビームの相対する交差点の方向で上記第３の送信ビームより９０°ずらした方向に指向性を有する第４の送信ビームをイネーブルにする選択情報を出力するものである。
【発明の効果】
【０００９】
この発明により、４本の受信アンテナに対して１個の復調処理部で復調処理を行うことができ、装置を小型にすることができるという効果がある。
【発明を実施するための最良の形態】
【００１０】
以下、この発明をより詳細に説明するために、この発明を実施するための最良の形態について、添付の図面に従って説明する。
実施の形態１．
第１図はこの発明の実施の形態１による無線通信装置における受信装置の構成を示すブロック図である。
また、第２図はこの発明の実施の形態１による無線通信装置における送信装置の構成を示すブロック図である。
この第１図に示す受信装置及び第２図に示す送信装置により構成された無線通信装置は、周囲水平方向に３６０°の範囲で存在する移動通信端末から送信される信号を受信して通信を行うもので、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信方式等に使用されるものである。
【００１１】
この無線通信装置の受信装置は、第１図に示すように、４本の受信アンテナ１１ａ，１１ｂ，１１ｃ，１１ｄ（ａｎｔ０，ａｎｔ１，ａｎｔ２，ａｎｔ３）と、受信ビーム生成部１２と、パスサーチ部１３，１４と、フィードバック制御部１５と、復調処理部１６と、チャネルデコーディング部１７とを備えている。
【００１２】
第１図において、受信アンテナ１１ａ，１１ｂ，１１ｃ，１１ｄは到来する電波を受信し受信信号を出力するものであり、受信ビーム生成部１２は、各受信アンテナ１１ａ，１１ｂ，１１ｃ，１１ｄからの４個の受信信号に対して、フーリエ変換を利用した受信ビームウェイトＷRXbeam0 ，ＷRXbeam1 を用いてウェイト付けを行い、互いに直交し空間的に分離された２個の受信ビームｂｅａｍ０，ｂｅａｍ１を生成するものである。
【００１３】
また、パスサーチ部１３は、受信ビーム生成部１２からの受信ビームｂｅａｍ０と各移動通信端末毎に設定されている既知の拡散コードとを用いて相関を測定し、受信ビームｂｅａｍ０に所望の既知の拡散コードで拡散された信号が含まれている場合にパス情報を出力するもので、同様に、パスサーチ部１４は、受信ビーム生成部１２からの受信ビームｂｅａｍ１と各移動通信端末毎に設定されている既知の拡散コードとを用いて相関を測定し、受信ビームｂｅａｍ１に所望の既知の拡散コードで拡散された信号が含まれている場合にパス情報を出力するものである。
【００１４】
さらに、フィードバック制御部１５はパスサーチ部１３，１４からのパス情報と復調処理部１６より通知された受信ビームｂｅａｍ０及び受信ビームｂｅａｍ１の位相差に基づき、送信すべき送信ビームを選択して選択情報１０１を出力するものである。
【００１５】
さらに、復調処理部１６は、受信ビーム生成部１２からの受信ビームｂｅａｍ０，ｂｅａｍ１を入力し、フィードバック制御部１５より通知されたパス情報に基づきＲＡＫＥ合成して復調データを出力すると共に、受信ビームｂｅａｍ０及び受信ビームｂｅａｍ１の位相差をフィードバック制御部１５に通知するものである。
【００１６】
さらに、チャネルデコーディング部１７は、復調処理部１６からの復調データを入力し、デインターリーブ、レートデマッチング、誤り訂正等を行うものである。
【００１７】
ここで、受信ビーム生成部１２は、受信アンテナ１１ａ，１１ｂ，１１ｃ，１１ｄからの受信信号に対して、それぞれウェイト定数ｅ0 ，ｅ0 ，ｅπ，ｅπを乗算してウェイト付けを行う乗算部１２１ａ，１２１ｂ，１２１ｃ，１２１ｄと、受信アンテナ１１ａ，１１ｂ，１１ｃ，１１ｄからの受信信号に対して、それぞれウェイト定数ｅ0 ，ｅπ，ｅπ，ｅ0 を乗算してウェイト付けを行う乗算部１２２ａ，１２２ｂ，１２２ｃ，１２２ｄと、乗算部１２１ａ，１２１ｂ，１２１ｃ，１２１ｄによりウェイト付けされた各受信信号を合成して受信ビームｂｅａｍ０を生成する受信信号合成部１２３と、乗算部１２２ａ，１２２ｂ，１２２ｃ，１２２ｄによりウェイト付けされた各受信信号を合成して受信ビームｂｅａｍ１を生成する受信信号合成部１２４とを備えている。
【００１８】
この無線通信装置の送信装置は、第２図に示すように、拡散変調部２１と、ビーム単位多重部２２，２３，２４，２５と、送信ビーム生成部２６，２７，２８，２９と、送信多重部３０と、４本の送信アンテナ３１ａ，３１ｂ，３１ｃ，３１ｄ（ａｎｔ０，ａｎｔ１，ａｎｔ２，ａｎｔ３）とを備えている。
【００１９】
第２図において、拡散変調部２１は、各移動通信端末へのユーザデータを入力し、各移動通信端末毎に設定されている拡散符号を用いて拡散処理を行いユーザの拡散データを出力するものである。
【００２０】
また、ビーム単位多重部２２，２３は、複数の拡散変調部２１からの複数のユーザの拡散データを入力し、フィードバック制御部１５からの選択情報１０１に基づき複数のユーザの拡散データを送信ビーム単位に多重して、多重後の複数のユーザの拡散データを各送信アンテナ３１ａ，３１ｂ，３１ｃ，３１ｄに対応させて出力するものである。
【００２１】
同様に、ビーム単位多重部２４は、複数の拡散変調部２１からの複数のユーザの拡散データを入力し、選択情報１０１に基づき複数のユーザの拡散データを送信ビーム単位に多重して、多重後の複数のユーザの拡散データを各送信アンテナ３１ａ，３１ｃに対応させて出力するものである。
【００２２】
同様に、ビーム単位多重部２５は、複数の拡散変調部２１からの複数のユーザの拡散データを入力し、選択情報１０１に基づき複数のユーザの拡散データを送信ビーム単位に多重して、多重後の複数のユーザの拡散データを各送信アンテナ３１ｂ，３１ｄに対応させて出力するものである。
【００２３】
さらに、送信ビーム生成部２６，２７は、ビーム単位多重部２２，２３からの各送信アンテナ３１ａ，３１ｂ，３１ｃ，３１ｄに対応させて出力された多重後の複数のユーザの拡散データを入力し、それぞれ送信ビームウェイトＷTXbeam0 ，ＷTXbeam1 によりウェイト付けを行い、ウェイト付けされた多重後の複数のユーザの拡散データを各送信アンテナ３１ａ，３１ｂ，３１ｃ，３１ｄに対応させて出力するものである。
【００２４】
同様に、送信ビーム生成部２８は、ビーム単位多重部２４からの各送信アンテナ３１ａ，３１ｃに対応させて出力された多重後の複数のユーザの拡散データを入力し、送信ビームウェイトＷTXbeam2 によりウェイト付けを行い、ウェイト付けされた多重後の複数のユーザの拡散データを各送信アンテナ３１ａ，３１ｃに対応させて出力するものである。
【００２５】
同様に、送信ビーム生成部２９は、ビーム単位多重部２５からの各送信アンテナ３１ｂ，３１ｄに対応させて出力された多重後の複数のユーザの拡散データを入力し、送信ビームウェイトＷTXbeam3 によりウェイト付けを行い、ウェイト付けされた多重後の複数のユーザの拡散データを各送信アンテナ３１ｂ，３１ｄに対応させて出力するものである。
【００２６】
さらに、送信多重部３０は、送信ビーム生成部２６，２７，２８，２９より各送信アンテナ３１ａ，３１ｂ，３１ｃ，３１ｄに対応させて出力されたウェイト付けされた多重後の複数のユーザの拡散データを入力し、送信アンテナ３１ａ，３１ｂ，３１ｃ，３１ｄ単位に多重して各送信アンテナ３１ａ，３１ｂ，３１ｃ，３１ｄに出力するものである。
【００２７】
ここで、送信ビーム生成部２６は、それぞれビーム単位多重部２２からの送信アンテナ３１ａ，３１ｂ，３１ｃ，３１ｄに対応させて出力された多重後の複数のユーザの拡散データを入力し、それぞれウェイト定数ｅ0 ，ｅ0 ，ｅπ，ｅπを乗算してウェイト付けを行い、ウェイト付けされた多重後の複数のユーザの拡散データをそれぞれ送信アンテナ３１ａ，３１ｂ，３１ｃ，３１ｄに対応させて出力する乗算部２６１ａ，２６１ｂ，２６１ｃ，２６１ｄを備えている。
【００２８】
また、送信ビーム生成部２７は、それぞれビーム単位多重部２３からの送信アンテナ３１ａ，３１ｂ，３１ｃ，３１ｄに対応させて出力された多重後の複数のユーザの拡散データを入力し、それぞれウェイト定数ｅ0 ，ｅπ，ｅπ，ｅ0 を乗算してウェイト付けを行い、ウェイト付けされた多重後の複数のユーザの拡散データをそれぞれ送信アンテナ３１ａ，３１ｂ，３１ｃ，３１ｄに対応させて出力する乗算部２７１ａ，２７１ｂ，２７１ｃ，２７１ｄを備えている。
【００２９】
さらに、送信ビーム生成部２８は、それぞれビーム単位多重部２４からの送信アンテナ３１ａ，３１ｃに対応させて出力された多重後の複数のユーザの拡散データを入力し、それぞれウェイト定数２ｅ0 ，２ｅπを乗算してウェイト付けを行い、ウェイト付けされた多重後の複数ユーザの拡散データをそれぞれ送信アンテナ３１ａ，３１ｃに対応させて出力する乗算部２８１ａ，２８１ｃを備えている。
【００３０】
さらに、送信ビーム生成部２９は、それぞれビーム単位多重部２５からの送信アンテナ３１ｂ，３１ｄに対応させて出力された多重後の複数のユーザの拡散データを入力し、それぞれウェイト定数２ｅ0 ，２ｅπを乗算してウェイト付けを行い、ウェイト付けされた多重後の複数ユーザの拡散データをそれぞれ送信アンテナ３１ｂ，３１ｄに対応させて出力する乗算部２９１ｂ，２９１ｄを備えている。
【００３１】
また、送信多重部３０は、送信ビーム生成部２６，２７，２８より各送信アンテナ３１ａに対応させて出力されたウェイト付けされた多重後の複数のユーザの拡散データを入力し、送信アンテナ３１ａ単位に多重して送信アンテナ３１ａに出力するアンテナ単位多重部３０１ａと、送信ビーム生成部２６，２７，２９より送信アンテナ３１ｂに対応させて出力されたウェイト付けされた多重後の複数のユーザの拡散データを入力し、送信アンテナ３１ｂ単位に多重して送信アンテナ３１ｂに出力するアンテナ単位多重部３０１ｂと、送信ビーム生成部２６，２７，２８より送信アンテナ３１ｃに対応させて出力されたウェイト付けされた多重後の複数のユーザの拡散データを入力し、送信アンテナ３１ｃ単位に多重して送信アンテナ３１ｃに出力するアンテナ単位多重部３０１ｃと、送信ビーム生成部２６，２７，２９より送信アンテナ３１ｄに対応させて出力されたウェイト付けされた多重後の複数のユーザの拡散データを入力し、送信アンテナ３１ｄ単位に多重して送信アンテナ３１ｄに出力するアンテナ単位多重部３０１ｄとを備えている。
【００３２】
第３図は受信アンテナの配置を示す図である。各受信アンテナ１１ａ，１１ｂ，１１ｃ，１１ｄ（ａｎｔ０，ａｎｔ１，ａｎｔ２，ａｎｔ３）は、λ／２（λは受信電波の波長）間隔毎に、それぞれ０°，９０°，１８０°，２７０°の方向に配置されている。
【００３３】
第４図は送信アンテナの配置を示す図である。各送信アンテナ３１ａ，３１ｂ，３１ｃ，３１ｄ（ａｎｔ０，ａｎｔ１，ａｎｔ２，ａｎｔ３）は、各受信アンテナ１１ａ，１１ｂ，１１ｃ，１１ｄと同様に、λ／２（λは送信電波の波長）間隔毎に、それぞれ０°，９０°，１８０°，２７０°の方向に配置されている。
【００３４】
次に第１図に示す受信装置の動作について説明する。
４本の受信アンテナ１１ａ，１１ｂ，１１ｃ，１１ｄ（ａｎｔ０，ａｎｔ１，ａｎｔ２，ａｎｔ３）は到来する電波を受信し、４個の受信信号ｘ0（ｔ），ｘ1 （ｔ），ｘ2 （ｔ），ｘ3（ｔ）を受信ビーム生成部１２に出力する。
【００３５】
受信ビーム生成部１２は、各受信アンテナ１１ａ，１１ｂ，１１ｃ，１１ｄからの４個の受信信号ｘ0（ｔ），ｘ1 （ｔ），ｘ2 （ｔ），ｘ3（ｔ）に対して、フーリエ変換を利用した受信ビームウェイトＷRXbeam0 ，ＷRXbeam1 を用いてウェイト付けを行い、互いに直交し空間的に分離された２個の受信ビームｂｅａｍ０，ｂｅａｍ１を生成して出力する。この受信ビームウェイトＷRXbeam0 ，ＷRXbeam1 は互いに直交し空間的に分離された受信ビームｂｅａｍ０，ｂｅａｍ１を生成するために使用される。
【００３６】
受信ビーム生成部１２において、乗算部１２１ａは受信アンテナ１１ａからの受信信号ｘ0（ｔ）に対してウェイト定数ｅ0 を乗算してウェイト付けを行い、乗算部１２１ｂは受信アンテナ１１ｂからの受信信号ｘ1 （ｔ）に対してウェイト定数ｅ0 を乗算してウェイト付けを行い、乗算部１２１ｃは受信アンテナ１１ｃからの受信信号ｘ2 （ｔ）に対してウェイト定数ｅπを乗算してウェイト付けを行い、乗算部１２１ｄは受信アンテナ１１ｄからの受信信号ｘ3（ｔ）に対してウェイト定数ｅπを乗算してウェイト付けを行う。
【００３７】
また、受信ビーム生成部１２において、乗算部１２２ａは受信アンテナ１１ａからの受信信号ｘ0（ｔ）に対してウェイト定数ｅ0 を乗算してウェイト付けを行い、乗算部１２２ｂは受信アンテナ１１ｂからの受信信号ｘ1 （ｔ）に対してウェイト定数ｅπを乗算してウェイト付けを行い、乗算部１２２ｃは受信アンテナ１１ｃからの受信信号ｘ2 （ｔ）に対してウェイト定数ｅπを乗算してウェイト付けを行い、乗算部１２２ｄは受信アンテナ１１ｄからの受信信号ｘ3（ｔ）に対してウェイト定数ｅ0 を乗算してウェイト付けを行う。
なお、これらの乗算は符号変換及び加算器で容易に実現できる。
【００３８】
さらに、受信ビーム生成部１２において、受信信号合成部１２３は乗算部１２１ａ，１２１ｂ，１２１ｃ，１２１ｄによりウェイト付けされた各受信信号ｘ0（ｔ），ｘ1 （ｔ），ｘ2 （ｔ），ｘ3（ｔ）を合成して受信ビームｂｅａｍ０を生成して出力し、同様に、受信信号合成部１２４は乗算部１２２ａ，１２２ｂ，１２２ｃ，１２２ｄによりウェイト付けされた各受信信号ｘ0（ｔ），ｘ1 （ｔ），ｘ2 （ｔ），ｘ3（ｔ）を合成して受信ビームｂｅａｍ１を生成して出力する。
【００３９】
受信ビーム生成部１２により生成された一方の受信ビームｂｅａｍ０は、ある方向にメインローブを持ち、その１８０°逆の方向にグレーティングローブを持つ放射パターンとなる。また、他方の受信ビームｂｅａｍ１は一方の受信ビームｂｅａｍ０と直交し、同様にメインローブとグレーティングローブを持つ放射パターンとなる。このグレーティングローブを利用することにより、１つの受信ビームで合計１８０°の範囲をカバーでき、２本の受信ビームｂｅａｍ０，ｂｅａｍ１で合計３６０°の範囲をカバーできる。このように、受信ビーム生成部１２は４個の受信信号ｘ0（ｔ），ｘ1 （ｔ），ｘ2 （ｔ），ｘ3（ｔ）を２個の受信ビームｂｅａｍ０，ｂｅａｍ１に変換している。
【００４０】
第５図は受信ビーム生成部１２により生成される受信ビームｂｅａｍ０，ｂｅａｍ１の放射パターンを示す図である。第３図に示すように各受信アンテナ１１ａ，１１ｂ，１１ｃ，１１ｄを配置した場合には、受信ビームｂｅａｍ０は４５°方向と２２５°方向にメインローブとグレーディングローブを持つ放射パターンとなり、受信ビームｂｅａｍ１は１３５°方向と３１５°方向にメインローブとグレーディングローブを持つ放射パターンとなる。このように、受信ビームｂｅａｍ０と受信ｂｅａｍ１は互いに直交して空間的に分離され、受信ビームｂｅａｍ０，ｂｅａｍ１により９０°ずつの指向性を持つ放射パターンとなる。
【００４１】
第５図において、放射パターンの同心円上の数値「−２０〜１０」はアンテナパターンのゲイン（ｄＢ）を示している。ここで、０ｄＢは受信アンテナ１本のゲインを示し、４本の受信アンテナ１１ａ，１１ｂ，１１ｃ，１１ｄをロスなく合成すると４倍のゲインの６ｄＢとなる。
【００４２】
第５図に示すように、受信ビームｂｅａｍ０，ｂｅａｍ１の放射パターンは、０°、９０°、１８０°、２７０°において交差し、受信アンテナ１本のゲイン０ｄＢを基準とすると、交差ポイントでは、それぞれの放射パターンのゲインが−２ｄＢとなる。すなわち、交差ポイントでは、受信ビーム生成部１２から出力される受信ビームｂｅａｍ０，ｂｅａｍ１のゲインが受信アンテナ１本のゲインよりも２ｄＢ低下する。各交差ポイントでは一つの入力波は２つの受信ビームｂｅａｍ０，ｂｅａｍ１に分散して受信される。
【００４３】
次に受信ビーム生成部１２における２次元フーリエ変換によるビーム合成について説明する。
受信アンテナ１１の受信信号Ｘ（ｔ）は次の式（１）で表される。
Ｘ（ｔ）＝［ｘ0（ｔ）  ｘ1 （ｔ）  ｘ2 （ｔ）  ｘ3（ｔ）］            （１）
ここで、ｘ0（ｔ），ｘ1 （ｔ），ｘ2 （ｔ），ｘ3（ｔ）は、それぞれ受信アンテナ１１ａ，１１ｂ，１１ｃ，１１ｄからの受信信号を表し、ｔは時間を表す。
【００４４】
また、受信ビームｂｅａｍ０，ｂｅａｍ１を生成するための受信ビームウェイトＷRXbeam0 ，ＷRXbeam1 は、次の式（２）、式（３）で表される。
ＷRXbeam0 ＝［ｅ0   ｅ0   ｅπ  ｅπ］T                               （２）
ＷRXbeam1 ＝［ｅ0   ｅπ  ｅπ  ｅ0 ］T                               （３）
ここで、［＊］T は転置行列を表し、ウェイト定数ｅ0 は複素数「１＋ｊ０」＝１を表し、ウェイト定数ｅπ は複素数「−１＋ｊ０」＝−１を表す。
【００４５】
そして、受信ビームｂｅａｍ０，ｂｅａｍ１は次の式（４）、式（５）により求められる。
ｂｅａｍ０＝Ｘ（ｔ）・ＷRXbeam0                                       （４）
ｂｅａｍ１＝Ｘ（ｔ）・ＷRXbeam1                                       （５）
【００４６】
パスサーチ部１３は、受信ビーム生成部１２から入力した受信ビームｂｅａｍ０と各移動通信端末毎に設定されている既知の拡散コードとを用いて相関を測定し、受信ビームｂｅａｍ０に所望の既知の拡散コードで拡散された信号が含まれている場合に、受信電力と受信タイミングを含むパス情報を出力する。同様に、パスサーチ部１４は、受信ビーム生成部１２から入力した受信ビームｂｅａｍ１と各移動通信端末毎に設定されている既知の拡散コードとを用いて相関を測定し、受信ビームｂｅａｍ１に所望の既知の拡散コードで拡散された信号が含まれている場合に、受信電力と受信タイミングを含むパス情報を出力する。
【００４７】
復調処理部１６は、受信ビーム生成部１２から互いに直交する受信ビームｂｅａｍ０，ｂｅａｍ１を入力し、パスサーチ部１３，１４からフィードバック制御部１５を介してより通知されたパス情報に基づきＲＡＫＥ合成して復調データをチャネルデコーディング部１７に出力すると共に、受信パイロット信号を用いてチャネル推定を行うことで受信ビームｂｅａｍ０及び受信ビームｂｅａｍ１の位相差を求めてフィードバック制御部１５に通知する。
【００４８】
チャネルデコーディング部１７は、復調処理部１６からの復調データを入力し、デインターリーブ、レートデマッチング、誤り訂正等を行って、移動通信端末から送信されたユーザデータを出力する。
【００４９】
フィードバック制御部１５はパスサーチ部１３，１４からのパス情報と、復調処理部１６より通知される受信ビームｂｅａｍ０及び受信ビームｂｅａｍ１の位相差の情報に基づき送信すべき送信ビームを選択して選択情報１０１を出力する。
【００５０】
第６図はフィードバック制御部１５による送信ビームの選択方法を示す図である。
第７図は送信装置より放射される送信ビームｂｅａｍ０の放射パターンを示す図であり、受信ビームｂｅａｍ０と同じ方向に指向性を持つ放射パターン、すなわち、４５°方向と２２５°方向にメインローブとグレーディングローブを持つ放射パターンとなっている。
【００５１】
第８図は送信装置より放射される送信ビームｂｅａｍ１の放射パターンを示す図であり、受信ビームｂｅａｍ１と同じ方向に指向性を持つ放射パターン、すなわち、１３５°方向と３１５°方向にメインローブとグレーディングローブを持つ放射パターンとなっている。
【００５２】
第９図は送信装置より放射される送信ビームｂｅａｍ２の放射パターンを示す図であり、受信ビームｂｅａｍ０，ｂｅａｍ１の相対する交差点の方向に指向性を持つ放射パターン、すなわち０°方向と１８０°方向にメインローブとグレーディングローブを持つ放射パターンとなっている。
【００５３】
第１０図は送信装置より放射される送信ビームｂｅａｍ３の放射パターンを示す図であり、受信ビームｂｅａｍ０，ｂｅａｍ１の相対する交差点の方向で送信ビームｂｅａｍ２より９０°ずらした方向に指向性を持つ放射パターン、すなわち９０°方向と２７０°方向にメインローブとグレーディングローブを持つ放射パターンとなっている。
【００５４】
第１１図は受信ビーム生成部１２により生成される受信ビームｂｅａｍ０の位相特性を示す図であり、第１２図は受信ビーム生成部１２により生成される受信ビームｂｅａｍ１の位相特性を示す図である。
【００５５】
フィードバック制御部１５は、第６図に示すように、パスサーチ部１３からのパス情報により受信ビームｂｅａｍ０に受信パスが見つかった場合には、受信ビームｂｅａｍ０と同じ方向に指向性を持つ第７図に示す送信ビームｂｅａｍ０をイネーブルにする選択情報１０１を出力し、パスサーチ部１４からのパス情報により受信ビームｂｅａｍ１に受信パスが見つかった場合には、受信ビームｂｅａｍ１と同じ方向に指向性を持つ第８図に示す送信ビームｂｅａｍ１をイネーブルにする選択情報１０１を出力する。
【００５６】
また、フィードバック制御部１５は、第６図に示すように、パスサーチ部１３及びパスサーチ部１４からのパス情報により、受信ビームｂｅａｍ０及び受信ビームｂｅａｍ１に受信パスが見つかった場合には、復調処理部１６より通知される受信ビームｂｅａｍ０及び受信ビームｂｅａｍ１の位相差の情報に基づき送信すべき送信ビームを選択する。すなわち、受信ビームｂｅａｍ０及び受信ビームｂｅａｍ１で同一遅延の受信パスの位相が反転位相で位相差が１８０°の場合には、フィードバック制御部１５は、受信ビームｂｅａｍ０，ｂｅａｍ１の交差点の方向に指向性を持つ、すなわち０°方向と１８０°方向にメインローブとグレーディングローブを持つ第９図に示す送信ビームｂｅａｍ２をイネーブルにする選択情報１０１を出力する。一方、フィードバック制御部１５は、受信ビームｂｅａｍ０及び受信ビームｂｅａｍ１で同一遅延の受信パスの位相が同位相で位相差が０°の場合には、受信ビームｂｅａｍ０，ｂｅａｍ１の交差点の方向で送信ビームｂｅａｍ２より９０°ずらした方向に指向性を持つ、すなわち９０°方向と２７０°方向にメインローブとグレーディングローブを持つ第１０図に示す送信ビームｂｅａｍ３をイネーブルにする選択情報１０１を出力する。
【００５７】
第５図に示すように、受信ビームｂｅａｍ０及び受信ビームｂｅａｍ１による放射パターンは、０°、９０°、１８０°、２７０°の方向に交差点ができており、受信ビームｂｅａｍ０及び受信ビームｂｅａｍ１の両方に受信パスが見つかった場合には、前記の角度から入力波が到来していることになる。第１１図に示す受信ビーム０の位相特性と第１２図に示す受信ビーム１の位相特性を見ると、０°及び１８０°の方向では位相が反転位相で位相差は１８０°であり、９０°及び２７０°の方向では位相が同位相で位相差は０°である。
【００５８】
そのため、受信ビームｂｅａｍ０及び受信ビームｂｅａｍ１の位相が反転位相で位相差が１８０°の場合には、０°又は１８０°の方向から入力波が到来していることになり、フィードバック制御部１５は、第９図に示す送信ビームｂｅａｍ２をイネーブルにする選択情報１０１を出力する。一方、受信ビームｂｅａｍ０及び受信ビームｂｅａｍ１の位相が同位相で位相差が０°の場合には、９０°又は２７０°の方向から入力波が到来していることになり、フィードバック制御部１５は、第１０図に示す送信ビームｂｅａｍ３をイネーブルにする選択情報１０１を出力する。
【００５９】
このように、フィードバック制御部１５がユーザの移動通信端末が存在する入力波の方向を含む送信ビームを選択することにより、送信装置では、３６０°の方向に全ての送信ビームｂｅａｍ０，ｂｅａｍ１，ｂｅａｍ２，ｂｅａｍ３を放射する必要がなく送信電力を低減することができる。
【００６０】
次に第２図に示す送信装置の動作について説明する。
拡散変調部２１は、チャネルコーディング部（図示せず）からの各移動通信端末へのユーザデータを入力し、各移動通信端末毎に設定されている拡散符号を用いて拡散処理を行いユーザの拡散データを出力する。
【００６１】
ビーム単位多重部２２，２３は、拡散変調部２１及び他の拡散変調部（図示せず）からの複数のユーザの拡散データを入力し、第１図に示すフィードバック制御部１５からの選択情報１０１に基づき、複数のユーザの拡散データを送信ビーム単位に多重して、多重後の複数のユーザの拡散データを各送信アンテナ３１ａ，３１ｂ，３１ｃ，３１ｄに対応させて出力する。すなわち、フィードバック制御部１５からの選択情報１０１が送信ビームｂｅａｍ０をイネーブルにする情報であれば、ビーム単位多重部２２が送信ビームｂｅａｍ０をイネーブルにする拡散変調部２１からのユーザの拡散データと送信ビームｂｅａｍ０をイネーブルにする他の拡散変調部からのユーザの拡散データを多重して出力し、選択情報１０１が送信ビームｂｅａｍ１をイネーブルにする情報であれば、ビーム単位多重部２３が送信ビームｂｅａｍ１をイネーブルにする拡散変調部２１からのユーザの拡散データと送信ビームｂｅａｍ１をイネーブルにする他の拡散変調部からのユーザの拡散データを多重して出力する。
【００６２】
同様に、ビーム単位多重部２４は、複数の拡散変調部２１からの複数のユーザの拡散データを入力し、選択情報１０１に基づき複数のユーザの拡散データを送信ビーム単位に多重して、多重後の複数のユーザの拡散データを各送信アンテナ３１ａ，３１ｃに対応させて出力する。すなわち、フィードバック制御部１５からの選択情報１０１が送信ビームｂｅａｍ２をイネーブルにする情報であれば、ビーム単位多重部２４が送信ビームｂｅａｍ２をイネーブルにする拡散変調部２１からのユーザの拡散データと送信ビームｂｅａｍ２をイネーブルにする他の拡散変調部からのユーザの拡散データを多重して出力する。
【００６３】
同様に、ビーム単位多重部２５は、複数の拡散変調部２１からの複数のユーザの拡散データを入力し、選択情報１０１に基づき複数のユーザの拡散データを送信ビーム単位に多重して、多重後の複数のユーザの拡散データを各送信アンテナ３１ｂ，３１ｄに対応させて出力する。すなわち、フィードバック制御部１５からの選択情報１０１が送信ビームｂｅａｍ３をイネーブルにする情報であれば、ビーム単位多重部２５が送信ビームｂｅａｍ３をイネーブルにする拡散変調部２１からのユーザの拡散データと送信ビームｂｅａｍ３をイネーブルにする他の拡散変調部からのユーザの拡散データを多重して出力する。
【００６４】
さらに、送信ビーム生成部２６は、ビーム単位多重部２２からの各送信アンテナ３１ａ，３１ｂ，３１ｃ，３１ｄに対応させて出力された多重後の複数のユーザの拡散データを入力し、送信ビームウェイトＷTXbeam0 によりウェイト付けを行い、ウェイト付けされた多重後の複数のユーザの拡散データを各送信アンテナ３１ａ，３１ｂ，３１ｃ，３１ｄに対応させて出力する。
【００６５】
同様に、送信ビーム生成部２７は、ビーム単位多重部２３からの各送信アンテナ３１ａ，３１ｂ，３１ｃ，３１ｄに対応させて出力された多重後の複数のユーザの拡散データを入力し、送信ビームウェイトＷTXbeam1 によりウェイト付けを行い、ウェイト付けされた多重後の複数のユーザの拡散データを各送信アンテナ３１ａ，３１ｂ，３１ｃ，３１ｄに対応させて出力する。
【００６６】
同様に、送信ビーム生成部２８は、ビーム単位多重部２４からの各送信アンテナ３１ａ，３１ｃに対応させて出力された多重後の複数のユーザの拡散データを入力し、送信ビームウェイトＷTXbeam2  によりウェイト付けを行い、ウェイト付けされた多重後の複数のユーザの拡散データを各送信アンテナ３１ａ，３１ｃに対応させて出力する。
【００６７】
同様に、送信ビーム生成部２９は、ビーム単位多重部２５からの各送信アンテナ３１ｂ，３１ｄに対応させて出力された多重後の複数のユーザの拡散データを入力し、送信ビームウェイトＷTXbeam3  によりウェイト付けを行い、ウェイト付けされた多重後の複数のユーザの拡散データを各送信アンテナ３１ｂ，３１ｄに対応させて出力する。
【００６８】
この送信ビームウェイトＷTXbeam0 ，ＷTXbeam1 ，ＷTXbeam2 ，ＷTXbeam3 は、第７図、第８図、第９図、第１０図に示す方向に指向性を持つ送信ビームｂｅａｍ０，ｂｅａｍ１、ｂｅａｍ２、ｂｅａｍ３を生成するために使用される。
【００６９】
各送信ビームウェイトＷTXbeam0 ，ＷTXbeam1 ，ＷTXbeam2 ，ＷTXbeam3 は、次の式（６）、式（７）、式（８）、式（９）で表せる。
ＷTXbeam0 ＝［ｅ0   ｅ0   ｅπ  ｅπ］T                               （６）
ＷTXbeam1 ＝［ｅ0   ｅπ  ｅπ  ｅ0 ］T                               （７）
ＷTXbeam2 ＝［２ｅ0   ０  ２ｅπ  ０］T                               （８）
ＷTXbeam3 ＝［０  ２ｅ0   ０  ２ｅπ］T                               （９）
ここで、［＊］T は転置行列を表し、ウェイト定数ｅ0 は複素数「１＋ｊ０」＝１を表し、ウェイト定数ｅπ は複素数「−１＋ｊ０」＝１を表し、ウェイト定数２ｅ0 は複素数「２＋ｊ０」＝２を表し、ウェイト定数２ｅπ は複素数「−２＋ｊ０」＝−２を表す。
【００７０】
ここで、送信ビーム生成部２６において、乗算部２６１ａは、ビーム単位多重部２２からの送信アンテナ３１ａに対応させて出力された多重後の複数のユーザの拡散データを入力し、ウェイト定数ｅ0 を乗算してウェイト付けを行い、ウェイト付けされた多重後の複数のユーザの拡散データを送信アンテナ３１ａに対応させて出力する。
【００７１】
同様に、乗算部２６１ｂは、ビーム単位多重部２２からの送信アンテナ３１ｂに対応させて出力された多重後の複数のユーザの拡散データを入力し、ウェイト定数ｅ0 を乗算してウェイト付けを行い、ウェイト付けされた多重後の複数のユーザの拡散データを送信アンテナ３１ｂに対応させて出力する。
【００７２】
同様に、乗算部２６１ｃは、ビーム単位多重部２２からの送信アンテナ３１ｃに対応させて出力された多重後の複数のユーザの拡散データを入力し、ウェイト定数ｅπを乗算してウェイト付けを行い、ウェイト付けされた多重後の複数のユーザの拡散データを送信アンテナ３１ｃに対応させて出力する。
【００７３】
同様に、乗算部２６１ｄは、ビーム単位多重部２２からの送信アンテナ３１ｄに対応させて出力された多重後の複数のユーザの拡散データを入力し、ウェイト定数ｅπを乗算してウェイト付けを行い、ウェイト付けされた多重後の複数のユーザの拡散データを送信アンテナ３１ｄに対応させて出力する。
【００７４】
また、送信ビーム生成部２７において、乗算部２７１ａは、ビーム単位多重部２３からの送信アンテナ３１ａに対応させて出力された多重後の複数のユーザの拡散データを入力し、ウェイト定数ｅ0 を乗算してウェイト付けを行い、ウェイト付けされた多重後の複数のユーザの拡散データを送信アンテナ３１ａに対応させて出力する。
【００７５】
同様に、乗算部２７１ｂは、ビーム単位多重部２３からの送信アンテナ３１ｂに対応させて出力された多重後の複数のユーザの拡散データを入力し、ウェイト定数ｅπを乗算してウェイト付けを行い、ウェイト付けされた多重後の複数のユーザの拡散データを送信アンテナ３１ｂに対応させて出力する。
【００７６】
同様に、乗算部２７１ｃは、ビーム単位多重部２３からの送信アンテナ３１ｃに対応させて出力された多重後の複数のユーザの拡散データを入力し、ウェイト定数ｅπを乗算してウェイト付けを行い、ウェイト付けされた多重後の複数のユーザの拡散データを送信アンテナ３１ｃに対応させて出力する。
【００７７】
同様に、乗算部２７１ｄは、ビーム単位多重部２３からの送信アンテナ３１ｄに対応させて出力された多重後の複数のユーザの拡散データを入力し、ウェイト定数ｅ0 を乗算してウェイト付けを行い、ウェイト付けされた多重後の複数のユーザの拡散データを送信アンテナ３１ｄに対応させて出力する。
【００７８】
さらに、送信ビーム生成部２８において、乗算部２８１ａは、ビーム単位多重部２４からの送信アンテナ３１ａに対応させて出力された多重後の複数のユーザの拡散データを入力し、ウェイト定数２ｅ0 を乗算してウェイト付けを行い、ウェイト付けされた多重後の複数のユーザの拡散データを送信アンテナ３１ａに対応させて出力する。
【００７９】
同様に、乗算部２８１ｃは、ビーム単位多重部２４からの送信アンテナ３１ｃに対応させて出力された多重後の複数のユーザの拡散データを入力し、ウェイト定数２ｅπを乗算してウェイト付けを行い、ウェイト付けされた多重後の複数のユーザの拡散データを送信アンテナ３１ｃに対応させて出力する。
【００８０】
さらに、送信ビーム生成部２９において、乗算部２９１ｂは、ビーム単位多重部２５からの送信アンテナ３１ｂに対応させて出力された多重後の複数のユーザの拡散データを入力し、ウェイト定数２ｅ0 を乗算してウェイト付けを行い、ウェイト付けされた多重後の複数のユーザの拡散データを送信アンテナ３１ｂに対応させて出力する。
【００８１】
同様に、乗算部２９１ｄは、ビーム単位多重部２５からの送信アンテナ３１ｄに対応させて出力された多重後の複数のユーザの拡散データを入力し、ウェイト定数２ｅπを乗算してウェイト付けを行い、ウェイト付けされた多重後の複数のユーザの拡散データを送信アンテナ３１ｄに対応させて出力する。
なお、これらの乗算は符号変換及び加算器で容易に実現できる。
【００８２】
さらに、送信多重部３０は、送信ビーム生成部２６，２７，２８，２９より各送信アンテナ３１ａ，３１ｂ，３１ｃ，３１ｄに対応させて出力されたウェイト付けされた多重後の複数のユーザの拡散データを入力し、送信アンテナ３１ａ，３１ｂ，３１ｃ，３１ｄ単位に多重して各送信アンテナ３１ａ，３１ｂ，３１ｃ，３１ｄに出力する。
【００８３】
また、送信多重部３０において、アンテナ単位多重部３０１ａは、送信ビーム生成部２６，２７，２８より各送信アンテナ３１ａに対応させて出力されたウェイト付けされた多重後の複数のユーザの拡散データを入力し、送信アンテナ３１ａ単位に多重して送信アンテナ３１ａに出力する。
【００８４】
同様に、アンテナ単位多重部３０１ｂは、送信ビーム生成部２６，２７，２９より送信アンテナ３１ｂに対応させて出力されたウェイト付けされた多重後の複数のユーザの拡散データを入力し、送信アンテナ３１ｂ単位に多重して送信アンテナ３１ｂに出力する。
【００８５】
同様に、アンテナ単位多重部３０１ｃは、送信ビーム生成部２６，２７，２８より送信アンテナ３１ｃに対応させて出力されたウェイト付けされた多重後の複数のユーザの拡散データを入力し、送信アンテナ３１ｃ単位に多重して送信アンテナ３１ｃに出力する。
【００８６】
同様に、アンテナ単位多重部３０１ｄは、送信ビーム生成部２６，２７，２９より送信アンテナ３１ｄに対応させて出力されたウェイト付けされた多重後の複数のユーザの拡散データを入力し、送信アンテナ３１ｄ単位に多重して送信アンテナ３１ｄに出力する。
【００８７】
以上のように、この実施の形態１によれば、受信ビーム生成部１２が各受信アンテナ１１ａ，１１ｂ，１１ｃ，１１ｄからの４個の受信信号に対してフーリエ変換を利用したウェイトＷRXbeam0 ，ＷRXbeam1 を用いて互いに直交し空間的に分離された２個の受信ビームｂｅａｍ０，ｂｅａｍ１を生成することにより、４本の受信アンテナ１１ａ，１１ｂ，１１ｃ，１１ｄに対して１個の復調処理部１６で復調処理を行うことができ、受信アンテナ数と同じ数の復調処理部が必要である従来の無線通信装置と比較し、装置を小型にすることができるという効果が得られる。
【００８８】
また、この実施の形態１によれば、生成された２個の受信ビームｂｅａｍ０，ｂｅａｍ１によりパス情報を検出することができ、パスサーチ部の数も減らすことができると共に、復調処理部１６への入力も２入力にできるため、復調処理部１６における入力切り替え機能を削減することができ、装置を小型にすることができるという効果が得られる。
【００８９】
さらに、この実施の形態１によれば、２個の受信ビームｂｅａｍ０，ｂｅａｍ１を生成して、１本の受信アンテナのアンテナゲインの４倍のアンテナゲインを持つ受信信号を復調処理部１６に入力することにより、受信性能を向上することができるという効果が得られる。
【００９０】
さらに、この実施の形態１によれば、受信装置が受信ビームｂｅａｍ０，ｂｅａｍ１によりパス情報を検出して入力波の到来方向を含む送信ビーム選択し、送信装置が選択された送信ビームを放射することにより、送信電力を低減することができるという効果が得られる。
【００９１】
なお、この実施の形態１では、４本の受信アンテナ１１ａ，１１ｂ，１１ｃ，１１ｄを使用しているが、受信アンテナをさらに４本追加してダイバーシチ構成とすることもできる。その場合、８本のアンテナで４つの受信ビームに変換することができる。また、受信ビーム間の落ち込みを互いに補うように受信アンテナを設置することにより、受信特性を改善できる効果が得られる。
【００９２】
また、この実施の形態１では、複数のユーザの拡散データを送信ビームｂｅａｍ０，ｂｅａｍ１、ｂｅａｍ２、ｂｅａｍ３に多重して、４本の送信アンテナ３１ａ，３１ｂ，３１ｃ，３１ｄから送信しているが、ビーム合成を行わず無指向性の１本の送信アンテナを用いて送信するようにしても良い。
【産業上の利用可能性】
【００９３】
以上のように、この発明に係る無線通信装置は、受信アンテナ数に対して復調処理部の数を削減し装置を小型にするのに適している。
【図面の簡単な説明】
【００９４】
【図１】  この発明の実施の形態１による無線通信装置における受信装置の構成を示すブロック図である。
【図２】  この発明の実施の形態１による無線通信装置における送信装置の構成を示すブロック図である。
【図３】  この発明の実施の形態１による無線通信装置における受信アンテナの配置を示す図である。
【図４】  この発明の実施の形態１による無線通信装置における送信アンテナの配置を示す図である。
【図５】  この発明の実施の形態１による無線通信装置における受信ビーム生成部により生成される受信ビームｂｅａｍ０，ｂｅａｍ１の放射パターンを示す図である。
【図６】  この発明の実施の形態１による無線通信装置におけるフィードバック制御部による送信ビームの選択方法を示す図である。
【図７】  この発明の実施の形態１による無線通信装置の送信装置により生成される送信ビームｂｅａｍ０の放射パターンを示す図である。
【図８】  この発明の実施の形態１による無線通信装置の送信装置により生成される送信ビームｂｅａｍ１の放射パターンを示す図である。
【図９】  この発明の実施の形態１による無線通信装置の送信装置により生成される送信ビームｂｅａｍ２の放射パターンを示す図である。
【図１０】  この発明の実施の形態１による無線通信装置の送信装置により生成される送信ビームｂｅａｍ３の放射パターンを示す図である。
【図１１】  この発明の実施の形態１による無線通信装置の受信ビーム生成部により生成される受信ビームｂｅａｍ０の位相特性を示す図である。
【図１２】  この発明の実施の形態１による無線通信装置の受信ビーム生成部により生成される受信ビームｂｅａｍ１の位相特性を示す図である。
【図１】
0005073206.tif 000002
【図２】
0005073206.tif 000003
【図３】
0005073206.tif 000004
【図４】
0005073206.tif 000005
【図５】
0005073206.tif 000006
【図６】
0005073206.tif 000007
【図７】
0005073206.tif 000008
【図８】
0005073206.tif 000009
【図９】
0005073206.tif 000010
【図１０】
0005073206.tif 000011
【図１１】
0005073206.tif 000012
【図１２】
0005073206.tif 000013